(57)【要約】  コンバージョンレンズの入射光束側及び射出光束側の２つの光学面に、ゴミや傷、ユーザーの手指の油などが付着することを抑制して、高画質な画像の取得できるコンバージョンレンズユニット及び撮像装置を提供する。筐体３０１がマスターレンズ１０１上から退避した状態では、第１開口部３０１ａと第２開口部３０１ｂとが遮蔽された状態になるので、コンバージョンレンズ３０２の最も物体側のレンズＬａは第１開口部３０１ａから露出せず、最も像側のレンズＬｂも第２開口部３０１ｂから露出しないので、レンズの傷付きや汚染を抑制できる。
2013190985.tif 000002
【特許請求の範囲】
【請求項１】
撮像装置のマスターレンズより被写体側に配置され、撮影画角を変更するコンバージョンレンズを含むコンバージョンレンズユニットにおいて、
前記コンバージョンレンズを収容すると共に、前記コンバージョンレンズの最も物体側の光学素子を露出する第１開口部と、前記コンバージョンレンズの最も像側の光学素子を露出する第２開口部とを備えた筐体と、
前記筐体の第１開口部を遮蔽可能な第１バリヤ部材と、前記筐体の第２開口部を遮蔽可能な第２バリヤ部材とを有することを特徴とするコンバージョンレンズユニット。
【請求項２】
前記コンバージョンレンズユニットは、前記筐体を前記撮像装置に取り付けるための取り付け部材を有し、前記取り付け部材に対し、前記筐体をスライドさせることにより、前記コンバージョンレンズの最も像側の光学素子が前記マスターレンズに対向するコンバージョン位置と、前記コンバージョンレンズが前記マスターレンズから退避し前記マスターレンズのみでの撮影が可能な非コンバージョン位置との間で移動可能となっていることを特徴とする請求項１に記載のコンバージョンレンズユニット。
【請求項３】
前記コンバージョン位置において、前記第１バリヤ部材は前記第１開口部から退避して前記第１開口部を開放し、前記第２バリヤ部材は前記第２開口部から退避して前記第２開口部を開放することを特徴とする請求項２に記載のコンバージョンレンズユニット。
【請求項４】
前記非コンバージョン位置において、前記第１バリヤ部材は前記第１開口部を遮蔽することを特徴とする請求項２又は３に記載のコンバージョンレンズユニット。
【請求項５】
前記筐体は前記取り付け部材から取り外し可能に構成され、前記筐体を前記取り付け部材から取り外したとき、前記第２バリヤ部材は前記第２開口部を遮蔽することを特徴とする請求項４に記載のコンバージョンレンズユニット。
【請求項６】
前記取り付け部材を前記筐体と共に前記撮像装置から取り外したとき、前記第２バリヤ部材は前記第２開口部を遮蔽することを特徴とする請求項４に記載のコンバージョンレンズユニット。
【請求項７】
前記非コンバージョン位置において、前記第１バリヤ部材は前記第１開口部を遮蔽し、前記第２バリヤ部材は前記第２開口部を遮蔽することを特徴とする請求項２又は３に記載のコンバージョンレンズユニット。
【請求項８】
前記第１バリヤ部材及び前記第２バリヤ部材は、前記筐体のスライドに連動して前記第１開口部及び前記第２開口部を遮蔽することを特徴とする請求項３、４、７のいずれかに記載のコンバージョンレンズユニット。
【請求項９】
前記第１バリヤ部材は、前記コンバージョン位置及び前記非コンバージョン位置に関わらず、操作部材により前記第１開口部を遮蔽及び開放可能に構成されていることを特徴とする請求項１又は２に記載のコンバージョンレンズユニット。
【請求項１０】
前記コンバージョンレンズは、屈曲光学系で構成され、前記筐体は前記屈曲光学系の長手方向又は該長手方向に直交する方向にスライドすることを特徴とする請求項２〜９のいずれかに記載のコンバージョンレンズユニット。
【請求項１１】
前記筐体は、前記非コンバージョン位置で前記マスターレンズへの入射光束を妨げないよう前記マスターレンズ側の外面が斜面に形成されていることを特徴とする請求項１０に記載のコンバージョンレンズユニット。
【請求項１２】
前記撮像装置は補助光を出射する光源を有し、前記筐体は前記コンバージョン位置で前記光源からの補助光を被写体側へ導く導光光学系を有することを特徴とする請求項２〜１１のいずれかに記載のコンバージョンレンズユニット。
【請求項１３】
請求項１〜１２のいずれかに記載のコンバージョンレンズユニットを備えることを特徴とする撮像装置。
【発明の詳細な説明】
【技術分野】
【０００１】
本発明は、コンバージョンレンズユニットに関し、特に撮像装置等に備えられたマスターレンズ前方に装着され、撮影画角を変更するコンバージョンレンズを有したコンバージョンレンズユニット及び撮像装置に関する。
【背景技術】
【０００２】
近年、スマートフォンをはじめとする携帯端末が発売され、急速に拡大している。かかる携帯端末は、一般的に撮像装置を搭載し、これにより撮像した画像を転送したり、携帯端末上で画像処理を行うなど種々の用い方がなされている。しかるに、一般的な携帯端末は薄形であることから、それに内蔵される撮像装置はコンパクト化が厳しく要求されている。このため、広角の単焦点光学系が搭載されるのが一般的であり、ユーザーによっては、よりワイドで撮像したい、遠方の被写体を大きく撮像したい等、種々の要望がある。【０００３】
これに対し特許文献１には、デジタルカメラ付きの携帯電話に接写機能を与えるため、接写レンズの鏡胴を携帯電話のボディに取り付け可能となっていて、通常の撮影時にはマスターレンズを露出させる位置にスライドし、接写撮影の際には接写レンズがマスターレンズに対向する位置にスライド可能な構成が開示されている。又、ビデオカメラ用途では、コンバージョンレンズをビデオカメラ本体のズームレンズの前方で挿脱可能にスライドする技術が、特許文献２に開示されている。
【先行技術文献】
【特許文献】
【０００４】
【特許文献１】特開２００５−２７８０３４号公報
【特許文献２】特開平０４−５５８０９号公報
【発明の概要】
【発明が解決しようとする課題】
【０００５】
ここで、特許文献１の構成では、携帯電話に取り付けた接写レンズは常に露出しているので、光学面にゴミや傷、不用意に触れたユーザーの手指の油などが付着する恐れがあり、画質の低下を招く恐れがある。更に、鏡胴を携帯電話から取り外した場合、携帯電話側を向いた光学面も露出することになるので、同様にゴミや傷、ユーザーの手指の油などが付着する恐れがある。【０００６】
一方、特許文献２の構成では、コンバージョンレンズをビデオカメラ本体に取り付けたカバー内部でスライドさせる構成であるが、カバーの開口部は常時開放しているためここからゴミや異物が侵入して、コンバージョンレンズの光学面等に付着する恐れがある。【０００７】
本発明は、かかる問題点に鑑みてなされたものであり、コンバージョンレンズの入射光束側及び射出光束側の２つの光学面に、ゴミや傷、ユーザーの手指の油などが付着することを抑制して、高画質な画像の取得できるコンバージョンレンズユニット及び撮像装置を提供することを目的とする。
【課題を解決するための手段】
【０００８】
請求項１に記載のコンバージョンレンズユニットは、撮像装置のマスターレンズより被写体側に配置され、撮影画角を変更するコンバージョンレンズを含むコンバージョンレンズユニットにおいて、
前記コンバージョンレンズを収容すると共に、前記コンバージョンレンズの最も物体側の光学素子を露出する第１開口部と、前記コンバージョンレンズの最も像側の光学素子を露出する第２開口部とを備えた筐体と、
前記筐体の第１開口部を遮蔽可能な第１バリヤ部材と、前記筐体の第２開口部を遮蔽可能な第２バリヤ部材とを有することを特徴とする。【０００９】
本発明によれば、前記筐体の第１開口部を遮蔽可能な第１バリヤ部材と、前記筐体の第２開口部を遮蔽可能な第２バリヤ部材とを有するので、撮影時には、前記第１バリヤ部材を前記第１開口部から退避させ、前記第２バリヤ部材を前記第２開口部から退避させることで、被写体光を前記コンバージョンレンズを介して前記マスターレンズに入射させ、一方、非撮影時や、前記コンバージョンレンズユニットを取り外した時など前記コンバージョンレンズを使用しない時は、前記第１バリヤ部材で前記第１開口部を遮蔽し、前記第２バリヤ部材で前記第２開口部を遮蔽することで、前記コンバージョンレンズの入射光束側及び射出光束側の２つの光学面の傷付きや汚染を抑制できる。尚、「コンバージョンレンズ」とは、マスターレンズの光軸上に配置することで撮影画角を変更するものをいい、テレコンバージョンレンズ、ワイドコンバージョンレンズ、ズームコンバージョンレンズの全てを含む。又、「撮像装置」とは、少なくともマスターレンズと撮像素子とを有するものをいい、「撮像装置」としては、例えば携帯電話、スマートフォン等の携帯端末などがある。【００１０】
請求項２に記載のコンバージョンレンズユニットは、請求項１に記載の発明において、前記コンバージョンレンズユニットは、前記筐体を前記撮像装置に取り付けるための取り付け部材を有し、前記取り付け部材に対し、前記筐体をスライドさせることにより、前記コンバージョンレンズの最も像側の光学素子が前記マスターレンズに対向するコンバージョン位置と、前記コンバージョンレンズが前記マスターレンズから退避し前記マスターレンズのみでの撮影が可能な非コンバージョン位置との間で移動可能となっていることを特徴とする。【００１１】
本発明によれば、前記筐体を前記取り付け部材に対してスライドさせることにより、前記コンバージョンレンズの最も像側の光学素子が前記マスターレンズに対向するコンバージョン位置と、前記コンバージョンレンズが前記マスターレンズから退避し前記マスターレンズのみでの撮影が可能な非コンバージョン位置との間で移動可能となっているので、前記マスターレンズのみを用いる通常撮影と、これに前記コンバージョンレンズを介して、マスターレンズのみのときとは異なる画角の撮影とを容易に選択可能になる。【００１２】
請求項３に記載のコンバージョンレンズユニットは、請求項２に記載の発明において、前記コンバージョン位置において、前記第１バリヤ部材は前記第１開口部から退避して前記第１開口部を開放し、前記第２バリヤ部材は前記第２開口部から退避して前記第２開口部を開放することを特徴とする。【００１３】
前記コンバージョン位置において、前記第１バリヤ部材は前記第１開口部から退避して前記第１開口部を開放し、前記第２バリヤ部材は前記第２開口部から退避して前記第２開口部を開放するので、前記筐体を前記取り付け部材に対してスライドさせてコンバージョン位置とすることにより、これに連動して前記第１開口部と前記第２開口部が開放され、撮影者を煩わせることなくマスターレンズのみのときとは異なる画角の撮影を行うことができる。【００１４】
請求項４に記載のコンバージョンレンズユニットは、請求項２又は３に記載の発明において、前記非コンバージョン位置において、前記第１バリヤ部材は前記第１開口部を遮蔽することを特徴とする。【００１５】
前記筐体を前記取り付け部材に対してスライドさせて非コンバージョン位置をとることにより、これに連動して前記第１開口部が遮蔽されるので、コンバージョンレンズユニットを用いない撮影のときは、第１開口部側の光学要素の傷付きや汚染を抑制できる。尚、前記コンバージョンレンズユニットを撮像装置に取り付けた状態では、第２開口部側は取り付け部材より覆われているので、前記第２開口部を開放状態においても、特に問題はない。【００１６】
請求項５に記載のコンバージョンレンズユニットは、請求項４に記載の発明において、前記筐体は、前記取り付け部材から取り外し可能に構成され、前記筐体を前記取り付け部材から取り外したとき、前記第２バリヤ部材は前記第２開口部を遮蔽することを特徴とする。【００１７】
前記筐体を前記取り付け部材から取り外したとき、これに連動して前記第２開口部が遮蔽されるので、前記コンバージョンレンズの前記第２開口部側の光学要素の傷付きや汚染を抑制できる。【００１８】
請求項６に記載のコンバージョンレンズユニットは、請求項４に記載の発明において、前記取り付け部材を前記筐体と共に前記撮像装置から取り外したとき第２バリヤ部材は、前記第２開口部を遮蔽することを特徴とする。【００１９】
前記取り付け部材を前記筐体と共に前記撮像装置から取り外したとき、これに連動して、前記第２開口部が遮蔽されるので前記コンバージョンレンズの前記第２開口部側の光学要素の傷付きや汚染を抑制できる。【００２０】
請求項７に記載のコンバージョンレンズユニットは、請求項２又は３に記載の発明において、前記非コンバージョン位置において、前記第１バリヤ部材は前記第１開口部を遮蔽し、前記第２バリヤ部材は前記第２開口部を遮蔽することを特徴とする。【００２１】
前記筐体を前記取り付け部材に対してスライドさせて非コンバージョン位置をとることにより、これに連動して前記第１開口部と前記第２開口部が遮蔽されるので、前記コンバージョンレンズの前記第１開口部側及び前記第２開口部側の光学要素の傷付きや汚染を抑制できる。【００２２】
請求項８に記載のコンバージョンレンズユニットは、請求項３、４、７のいずれかに記載の発明において、前記第１バリヤ部材及び前記第２バリヤ部材は、前記筐体のスライドに連動して前記第１開口部及び前記第２開口部を遮蔽することを特徴とする。【００２３】
前記筐体を前記取り付け部材に対してスライドさせることに連動して、前記第１開口部と前記第２開口部が遮蔽されると好ましい。【００２４】
請求項９に記載のコンバージョンレンズユニットは、請求項１又は２に記載の発明において、前記第１バリヤ部材は、前記コンバージョン位置及び前記非コンバージョン位置に関わらず、操作部材により前記第１開口部を遮蔽及び開放可能に構成されていることを特徴とする。【００２５】
操作部材によって前記第１開口部を遮蔽及び開放可能に構成することで、コンバージョンレンズユニットがコンバージョン位置にあっても撮影を行わない時には第１開口部を遮蔽でき、第１開口部側の光学要素の傷付きや汚染を抑制できる。【００２６】
請求項１０に記載のコンバージョンレンズユニットは、請求項２〜９のいずれかに記載の発明において、前記コンバージョンレンズは、屈曲光学系で構成され、前記筐体は前記屈曲光学系の長手方向又は該長手方向に直交する方向にスライドすることを特徴とする。【００２７】
前記コンバージョンレンズを屈曲光学系から構成することで、前記コンバージョンレンズユニットを撮像装置の前面に沿って設置できるから、撮影時や携帯時に邪魔になりにくい。撮像装置が携帯端末などのように薄型である場合、特に有効である。また、前記屈曲光学系の長手方向又は該長手方向に直交するに沿った方向にスペースがあることが多いので、この方向に前記筐体をスライドすると都合がよい。【００２８】
請求項１１に記載のコンバージョンレンズユニットは、請求項１０に記載の発明において、前記筐体は、前記非コンバージョン位置で前記マスターレンズへの入射光束を妨げないよう前記マスターレンズ側の外面が斜面に形成されていることを特徴とする。【００２９】
前記筐体の前記マスターレンズ側の外面を斜面に形成することで、コンバージョン位置と非コンバージョン位置とのスライド移動量を小さくすることができる。【００３０】
請求項１２に記載のコンバージョンレンズユニットは、請求項２〜１１のいずれかに記載の発明において、前記撮像装置は、補助光を出射する光源を有し、前記筐体は前記コンバージョン位置で前記光源からの補助光を被写体側に導く導光光学系を有することを特徴とする。【００３１】
これによりコンバージョンレンズを用いた撮影の際に、コンバージョンレンズユニットによって光源部が遮蔽されても、補助光を被写体側に照射することが可能となる。【００３２】
請求項１３に記載の撮像装置は、請求項１〜１２のいずれかに記載のコンバージョンレンズユニットを備えることを特徴とする。【００３３】
本発明の撮像装置によれば、コンバージョンレンズの入射光束側及び射出光束側の２つの光学面の傷付きや汚染を抑制できるので、高画質な画像を取得できる。
【発明の効果】
【００３４】
本発明によれば、コンバージョンレンズの入射光束側及び射出光束側の２つの光学面に、ゴミや傷、ユーザーの手指の油などが付着する恐れを抑制して、高画質な画像が取得できるコンバージョンレンズユニット及び撮像装置を提供することができる。
【図面の簡単な説明】
【００３５】
【図１】撮像装置である携帯端末と、携帯端末に取り付けるカバー部材と、コンバージョンレンズを収容した筐体を分解して示す斜視図である。
【図２】コンバージョンレンズを収容する筐体と、カバー部材で構成されたコンバージョンレンズユニットを携帯端末に取り付けた状態を示す図である。
【図３】図３（ａ）は、コンバージョンレンズユニットを携帯端末に取り付けた状態で示す正面図であり、通常撮影の状態を示している。図３（ｂ）は、図３（ａ）のIIIB-IIIB線で切断して矢印方向に見た図である。
【図４】図４（ａ）は、コンバージョンレンズユニットを携帯端末に取り付けた状態で示す正面図であり、変倍撮影の状態を示している。図４（ｂ）は、図４（ａ）のIVB-IVB線で切断して矢印方向に見た図であり、図４（ｃ）は、図４（ａ）のIVC-IVC線で切断して矢印方向に見た図である。
【図５】図５（ａ）は、コンバージョンレンズを収容した筐体の背面図であり、図５（ｂ）は、カバー部材の正面図であり、図５（ｃ）は、図５（ｂ）のVC-VC線で切断して矢印方向に見た図であり、図５（ｄ）は、図５（ｂ）のVD-VD線で切断して矢印方向に見た図である。
【図６】図６（ａ）はカバー部材から筐体及びコンバージョンレンズを取り外して示す正面図であり、図６（ｂ）は斜視図であるが、変倍撮影状態を示している。
【図７】図７（ａ）はカバー部材から筐体及びコンバージョンレンズを取り外して示す正面図であり、図７（ｂ）は斜視図であるが、通常撮影状態を示している。
【図８】第２バリヤ部材周辺を示す図である。
【図９】変形例にかかる第２バリヤ部材周辺を示す図であり、筐体をカバー部材に取り付けた状態を示し、（ａ）は正面から見た図であり、（ｂ）は（ａ）のIXB-IXB線で切断して矢印方向に見た図である。
【図１０】変形例にかかる第２バリヤ部材周辺を示す図であり、筐体をカバー部材に取り外した状態を示し、（ａ）は正面から見た図であり、（ｂ）は（ａ）のXB-XB線で切断して矢印方向に見た図である。
【図１１】コンバージョンレンズユニットのスライド方向の他の例を示す外観斜視図であり、（ａ）はマスターレンズを覆った状態を示し、（ｂ）はマスターレンズを開放した状態を示す。
【発明を実施するための形態】
【００３６】
以下、本発明の実施の形態を図面に基づいて説明する。図１は、撮像装置である携帯端末と、携帯端末に取り付ける取り付け部材と、コンバージョンレンズを収容した筐体とを分解して示した斜視図である。図２は、コンバージョンレンズを収容した筐体と、取り付け部材とで構成されたコンバージョンレンズユニットを携帯端末に取り付けた状態で示す図であり、（ａ）はマスターレンズのみを用いた撮影状態（通常撮影の状態と称す）を正面側から見た状態を示し、（ｂ）はマスターレンズの被写体側にコンバージョンレンズが位置した撮影状態（変倍撮影の状態と称す）を正面側から見た状態を示し、（ｃ）は背面側から見た状態を示している。
【００３７】
例えば薄形のスマートフォンである携帯端末１００は、長方形板状であり、正面側に露出するようにしてマスターレンズ１０１と、補助光源１０２とが並べて設けられており、また背面側には、ほぼ全面に液晶パネル１０３を設けている。マスターレンズ１０１の奥側には、撮像素子１０４（図３，４参照）が設けられている。
【００３８】
携帯端末１００の保護機能とコンバージョンレンズユニット３００を取り付ける取り付け部材としての機能とを併せ持つカバー部材２００は、弾性のあるプラスチック製であり、略矩形状の薄厚の前板２０１と、前板２０１の各辺から直交する方向に短く延在する側板２０２〜２０５とから一体的に形成されている。側板２０２〜２０５を携帯端末１００の側面に取り付けることで、前板２０１が携帯端末１００の正面に密着するようにして取り付けられる。側板２０２〜２０５は、取り付けた状態で携帯端末１００にアクセスできるよう、１つもしくは複数の切欠が設けられる。
【００３９】
カバー部材２００は、前板２０１を貫通するようにして、４つのＬ字状の切欠２０１ａ〜２０１ｄと、第１カム溝２０１ｅと、第２カム溝２０１ｆと、テーパ状のマスター孔２０１ｇと、テーパ状の補助孔２０１ｈとを有している。カバー部材２００を携帯端末１００に取り付けたとき、マスター孔２０１ｇはマスターレンズ１０１に対向し、補助孔２０１ｈは補助光源１０２に対向するようになっている。
【００４０】
なお、本実施の形態では、取り付け部材として携帯端末の正面全面を覆うカバー部材を用いて説明するが、取り付け部材としては携帯端末の正面の一部を覆うようなものであってもよい。
【００４１】
図３（ａ）は、コンバージョンレンズユニットを携帯端末に取り付けた状態で示す正面図であり、通常撮影の状態を示している。図３（ｂ）は、図３（ａ）のIIIB-IIIB線で切断して矢印方向に見た図である。図４（ａ）は、コンバージョンレンズユニットを携帯端末に取り付けた状態を示す正面図であり、変倍撮影の状態を示している。図４（ｂ）は、図４（ａ）のIVB-IVB線で切断して矢印方向に見た図であり、図４（ｃ）は、図４（ａ）のIVC-IVC線で切断して矢印方向に見た図である。図５（ａ）は、コンバージョンレンズを収容した筐体の背面図であり、図５（ｂ）は、カバー部材の正面図であり、図５（ｃ）は、図５（ｂ）のVC-VC線で切断して矢印方向に見た図であり、図５（ｄ）は、図５（ｂ）のVD-VD線で切断して矢印方向に見た図である。
【００４２】
コンバージョンレンズユニット３００は、筐体３０１と、筐体３０１内に固定されたコンバージョンレンズ３０２（図３，４に簡略図示）と、筐体３０１内でそれぞれ可動に設けられた第１バリヤ部材３０３と、第２バリヤ部材３０４と、一対の係止部材３０５と、係止部材３０５を離隔する方向に付勢するバネ３０６とを有している。コンバージョンレンズ３０２は屈曲光学系であり、２つのプリズムＰＳにより光軸を２回折り曲げている。
【００４３】
筐体３０１は、図３，４に示すように正面側に矩形の第１開口部３０１ａを備え、図５に示すように背面側に円形の第２開口部３０１ｂと、第３開口部３０１ｃと、スリット３０１ｄと、孔３０１ｅとを備えている。スリット３０１ｄからは後述する第１駆動軸３０３ａの端部が突出し、孔３０１ｅからは後述する第２駆動軸３０４ｂの端部が突出している。又、図３，４に示すように、筐体３０１のマスターレンズ１０１側の外面は、マスターレンズ１０１から離れるに連れてマスターレンズ１０１の光軸から離れるようなテーパ面（傾斜面）３０１ｆとなっており、通常撮影時に所定の画角で入射する被写体光を遮らないようになっている。
【００４４】
対向して配置される一対の係止部材３０５は、図５（ａ）に示すように、筐体３０１の上方又は下方に突き出した凸片３０５ａと、凸片３０５ａに連結したＴ字状の本体３０５ｂと、本体３０５ｂの両端から筐体３０１の背面側に突出して先が上方又は下方に曲がった鈎部３０５ｃとをそれぞれ有している。鈎部３０５ｃの高さはｈである（図５（ｃ）、（ｄ）参照）。
【００４５】
図５（ｂ）に示すように、カバー部材２００のＬ字状の切欠２０１ａ、２０１ｂ、及び切欠２０１ｃ、２０２ｄは上下に対称的に配置され、切欠２０１ａ、２０１ｃ、及び切欠２０１ｂ、２０１ｄは同じ向きで水平方向に並べて配置されている。従って、図５（ｃ）の断面位置では、切欠２０１ａ、２０２ｂ（切欠２０１ｃ、２０２ｄも同様）の幅は狭い（領域Ａとする）のに対して、図５（ｄ）の断面位置では、切欠２０１ｃ、２０２ｄ（切欠２０１ａ、２０２ｂも同様）の幅は広くなっている（領域Ｂとする）。切欠２０１ａ、２０１ｂ、及び切欠２０１ｃ、２０２ｄの領域Ｂにおける幅はｗ１であって、領域Ａにおける幅はｗ２であり、ｗ１＞ｈ＞ｗ２である。
【００４６】
コンバージョンレンズを収容した筐体３０１を、カバー部材２００に取り付ける態様について説明する。筐体３０１から上下に突出した凸片３０５ａを、操作者の指で摘むと、バネ３０６の付勢力に抗して本体３０５ｂ同士が接近するので、その両端の鈎部３０５ｃも接近することになる。ここで、本体３０５ｂが筐体３０１のストッパ３０１ｉ（図５（ｄ）参照）に当接することで、それ以上の本体３０５ｂの接近が阻止される。かかる状態では、鈎部３０５ｃの離間状態は、切欠２０１ａ、２０２ｂ（切欠２０１ｃ、２０２ｄ）の広幅領域Ｂの離間状態に一致する。
【００４７】
ここで、鈎部３０５ｃを切欠２０１ａ、２０２ｂ（切欠２０１ｃ、２０２ｄ）に接近させると、ｗ１＞ｈであるから、鈎部３０５ｃが切欠２０１ａ、２０２ｂ（切欠２０１ｃ、２０２ｄ）の広幅領域Ｂを通り抜けて、カバー部材２００の前板２０１の背面側に至るようになる。同時に、後述する第１駆動軸３０３ａの端部が第１カム溝２０１ｅに係合し、第２駆動軸３０４ｂの端部が第２カム溝２０１ｆに係合する。このとき、操作者が凸片３０５ａから指を離すと、バネ３０６の付勢力により本体３０５ｂが上下に付勢され、鈎部３０５ｃが切欠２０１ａ、２０２ｂ（切欠２０１ｃ、２０２ｄ）の上辺と下辺に押し付けられる。これにより鈎部３０５ｃが前板２０１に引っかかるので、筐体３０１はカバー部材２００から脱落しないようになるのである。筐体３０１をカバー部材２００から取り外す場合、以上と逆の動作になる。
【００４８】
尚、操作者が上下の凸片３０５ａを指で軽く摘みながら筐体３０１を左右に移動させれば、鈎部３０５ｃの摩擦力が減少するので、切欠２０１ａ、２０１ｂ（切欠２０１ｃ、２０１ｄ）の狭幅領域Ａの範囲へと移動させることができる。かかる状態では、鈎部３０５ｃの高さｈが切欠２０１ａ、２０１ｂ（切欠２０１ｃ、２０１ｄ）の狭幅ｗ２よりも大きいので、操作者が不用意に凸片３０５ａを指で押しても、鈎部３０５ｃが切欠に引っかかったままであり、不用意に脱落することはない。
【００４９】
次に、筐体の開口部を遮蔽する態様について説明する。図６（ａ）はカバー部材から筐体及びコンバージョンレンズを取り外して示す正面図であり、図６（ｂ）は斜視図であるが、それぞれ変倍撮影状態を示す。図７（ａ）はカバー部材から筐体及びコンバージョンレンズを取り外して示す正面図であり、図７（ｂ）は斜視図であるが、それぞれ通常撮影状態を示す。但し、図６，７においては、第１開口部３０１ａと第２開口部３０１ｂのみを図示している。
【００５０】
第１バリヤ部材３０３は矩形板状であって、駆動軸３０３ａに背面側を連結されている。駆動軸３０３ａは、筐体３０１のスリット３０１ｄ（図５（ａ））を貫通して、第１カム溝２０１ｅに係合している。又、第１駆動軸３０３ａは、バネ３０３ｂにより上方に向かって付勢されている。
【００５１】
図８は、第２バリヤ部材３０４の周辺を示す図である。第２バリヤ部材３０４は、花びら状の板材からなり、その背面には枢軸３０４ａと第２駆動軸３０４ｂとに連結されている。第２駆動軸３０４ｂは、筐体３０１の孔３０１ｅ（図５（ａ））を貫通して、第２カム溝２０１ｆに係合している。枢軸３０４ａは筐体３０１に対して回転可能であり、筐体３０１のスライドと共に移動する。又、第２バリヤ部材３０４を、枢軸３０４ａに対して反時計回りに付勢するバネ（不図示）が設けられている。
【００５２】
図６に示す状態では、カバー部材２００に対して筐体３０１が最も右方向にスライドした位置（コンバージョン位置という）であり、このとき図４に示すように、マスターレンズ１０１に、コンバージョンレンズ３０２の最も像側のレンズＬｂが対向するようになる。かかる状態では、第１駆動軸３０３ａは、筐体３０１のスリット３０１ｄの側壁に押されて、バネ３０３ｂに付勢力に抗して第１カム溝２０１ｅの右端に位置するようになる。
従って、第１バリヤ部材３０３は、筐体３０１の第１開口部３０１ａから下方に退避した状態にあり、第１開口部３０１ａが開放される。
【００５３】
一方、筐体３０１の孔３０１ｅに挿通された第２駆動軸３０４ｂも、第２カム溝２０１ｆの右端に位置するようになる。図８に示すように、このとき、第２駆動軸３０４ｂの右横方向に枢軸３０４ａがあるので、第２バリヤ部材３０４は、筐体３０１の第２開口部３０１ｂから退避した状態にあり、第２開口部３０１ｂが開放される。
【００５４】
このように、第１開口部３０１ａと第２開口部３０１ｂとが開放された状態になるので、図４に示すように第１開口部３０１ａから入射した被写体光は、コンバージョンレンズ３０２により画角が変更され、第２開口部３０１ｂから出射してマスターレンズ１０１に入射し、マスターレンズで結像され、携帯端末１００の撮像素子１０４上に画像が形成される。形成された画像は、携帯端末１００の液晶パネル１０３に表示される。
【００５５】
尚、このとき、補助光源１０２に、筐体３０１の第３開口部３０１ｃが対向するが、第３開口部３０１ｃの内部には、図４（ｃ）に示すように、２枚のミラーＭ１，Ｍ２と、外部に露出した凸レンズＬからなる導光光学系が設けられており、変倍撮影の際に、筐体３０１によって補助光源１０２が覆われても、補助光を被写体側に照射することが可能となる。導光光学系は、コンバージョンレンズ３０２により変更された撮影画角に応じて、補助光源１０２から出射した補助光を変更された画角に対応するように出射角が変更されるよう構成されていると補助光を有効利用できるため、好ましい。また、導光光学系はプリズム、ファイバ等を用いたものであってもよい。
【００５６】
これに対し、図７に示す状態では、カバー部材２００に対して筐体３０１が最も左方向にスライドした位置（非コンバージョン位置という）であり、このとき図３に示すように、マスターレンズ１０１の物体側から筐体３０１が退避した状態にある。かかる状態では、第１駆動軸３０３ａは、筐体３０１のスリット３０１ｄの側壁に押されて、バネ３０３ｂに付勢力に従い第１カム溝２０１ｅの左端に位置するようになる。従って、第１バリヤ部材３０３は、上方に移動して筐体３０１の第１開口部３０１ａを遮蔽する。
【００５７】
一方、筐体３０１の孔３０１ｅに挿通された第２駆動軸３０４ｂも、筐体３０１と共に第２カム溝２０１ｆの左端まで移動する。図８に示すように、このとき、第２駆動軸３０４ｂの右上方向に枢軸３０４ａがあるので、第２バリヤ部材３０４は、不図示のバネの付勢力により枢軸３０４ａを中心に反時計回りに回動し、これにより筐体３０１の第２開口部３０１ｂを遮蔽する。
【００５８】
このときは、図３に示すように、筐体３０１がマスターレンズ１０１の被写体光入射側を開放した状態で、被写体光が直接マスターレンズ１０１に入射する。又、補助光源１０２も露出しており、通常の補助光を被写体に向かって照射できる。以上により、携帯端末１００の本来の通常撮影が行える。
【００５９】
このように、筐体３０１がマスターレンズ１０１を開放した状態では、第１開口部３０１ａと第２開口部３０１ｂとが遮蔽された状態になるので、コンバージョンレンズ３０２の最も物体側のレンズＬａは第１開口部３０１ａから露出せず、最も像側のレンズＬｂも第２開口部３０１ｂから露出しないので、レンズの傷付きや汚染を抑制できる。
【００６０】
明らかであるが、筐体３０１をカバー部材２００から取り外した状態では、第１駆動軸３０３ａがフリーになるからバネ３０３ｂの付勢力で第１バリヤ部材３０３が第１開口部３０１ａを遮蔽するようになり、同様に第２駆動軸３０４ｂがフリーになるから不図示のバネの付勢力で第２バリヤ部材３０４が第２開口部３０１ｂを遮蔽するようになる。従って、筐体３０１をカバー部材２００から取り外したときに、レンズの傷付きや汚染を抑制できる。
【００６１】
図９，１０は変形例にかかる図である。上述した実施の形態では、通常撮影時に第２バリヤ部材３０４が第２開口部３０１ｂを遮蔽している。しかるに、かかる状態では第２開口部３０１ｂはカバー部材２００の前面に対向しているので、必ずしも遮蔽する必要はないとも言える。本変形例は、これに対応したものであって、第２バリヤ部材３０４が、筐体３０１のスライドに連動して第２開口部３０１ｂを遮蔽せず、筐体３０１をカバー部材２００から取り外したときに遮蔽するものである。
【００６２】
筐体３０１に設けられた枢軸３０４ａにより回転可能に支持された第２バリヤ部材３０４には、衝立部３０４ｄが一体的に形成されている。衝立部３０４ｄの端部は、バネ部材３０４ｅにより付勢されており、第２バリヤ部材３０４は、図９（ａ）で反時計回りに常時付勢されている。
【００６３】
衝立部３０４ｄには、シーソー部材３０４ｆの一端３０４ｇが当接している。シーソー部材３０４ｆは、筐体３０１に軸支されており、他端３０４ｈは筐体３０１に形成されたスリット３０１ｓを介してカバー部材２００側に突出可能となっている。
【００６４】
図９に示すように、筐体３０１をカバー部材２００に取り付けた状態では、スリット３０１ｓを介して露出したシーソー部材３０４ｆの他端３０４ｈがカバー部材２００により押されて、図９（ｂ）で時計回りに回動するので、バネ部材３０４ｅにより衝立部３０４ｄを図９（ａ）で右方に押し出すこととなる。これにより第２バリヤ部材３０４が時計回りに回動して、第２開口部３０１ｂを開放するのである。
【００６５】
これに対し、筐体３０１をカバー部材２００から取り外すと、図１０（ｂ）に示すように、シーソー部材３０４ｆの他端３０４ｈがフリーになるので、シーソー部材３０４ｆの押圧力が消失し、バネ部材３０４ｅの付勢力で衝立部３０４ｄが図１０（ａ）で左方に引き寄せられ、これにより第２バリヤ部材３０４が反時計回りに回動して、第２開口部３０１ｂを遮蔽するのである。尚、第１バリヤ部材については、上述した実施の形態を適用できる。
【００６６】
また、筐体３０１をカバー部材２００から取り外したときのみならず、筐体３０１をカバー部材２００と共に携帯端末から取り外したときにも、第２バリヤ部材３０４が第２開口部３０１ｂを遮蔽するような構成も可能である。この場合には、カバー部材２００のシーソー部材３０４ｆの他端３０４ｈがスライドする範囲に、スリットを設けておき、シーソー部材３０４ｆの他端３０４ｈが携帯端末の面に当接するように構成すれば、同様の機構で、筐体３０１をカバー部材２００から取り外したとき及び、筐体３０１をカバー部材２００と共に携帯端末から取り外したときにも第２バリヤ部材３０４が第２開口部３０１ｂを遮蔽させることができる。
【００６７】
また、第２バリヤ部材３０４が第２開口部３０１ｂを遮蔽、開放する機構は、上述の実施の形態のように構成し、第１バリヤ部材３０３はコンバージョン位置、非コンバージョン位置に関わらず手動で第１開口部３０１ａの遮蔽、開放を行うように構成しても良い。
この場合には、第１バリヤ部材３０３に筐体３０１の外部に配置された操作部材（不図示）を係合させておき、該操作部材を操作することで第１開口部３０１ａの遮蔽、開放を行えばよい。
【００６８】
また、上記の実施の形態では、筐体３０１を屈曲光学系の長手方向にスライドさせる例で説明したが、図１１に示すように、屈曲光学系の長手方向と直交する方向（図１１で上下方向）にスライドするように構成してもよい。このとき、筐体３０１の端部にＵ字状の鈎部（図１１で不図示）をバネ板材等から形成し、これにより取り付け部材２００の側縁を幅方向に挟み込むようにして、コンバージョンレンズユニットの脱落を防止すると共に、側縁をガイドにして上下方向に移動させることができる。バリヤ部材の開閉は、上述の実施の形態と同様な構成を適用できる。
【００６９】
本発明は、明細書に記載の実施形態に限定されるものではなく、他の実施形態・変形例を含むことは、本明細書に記載された実施形態や技術思想から本分野の当業者にとって明らかである。カバー部材２００に対し筐体３０１がスライド可能、取り外し不能に形成されていても良い。かかる場合も、図９，１０の構成において、シーソー部材３０４ｆを筐体に設け、携帯端末に対して脱着することで上記の動作を行うようにできる。また、筐体３０１とカバー部材２００が一体でスライド不能に形成されている場合は、第１バリヤ部材３０３を操作部材で操作して第１開口部の遮蔽、開放を行い、第２バリヤ部材３０４は、筐体又はカバー部材に設けられたシーソー部材により携帯端末に対して脱着することで上記の動作を行うようにすればよい。なお、第１バリヤ部材や第２バリヤ部材の動作は、以上の実施の形態に限られず種々の駆動形態がある。
【符号の説明】
【００７０】
１００ 携帯端末
１０１ マスターレンズ
１０２ 補助光源
１０３ 液晶パネル
２００ カバー部材（取り付け部材）
２０１ 前板
２０１ａ〜２０１ｄ 切欠
２０１ｅ 第１カム溝
２０１ｆ 第２カム溝
２０１ｇ マスター孔
２０１ｈ 補助孔
２０２〜２０５ 側板
３００ コンバージョンレンズユニット
３０１ 筐体
３０１ａ 第１開口部
３０１ｂ 第２開口部
３０１ｃ 第３開口部
３０１ｄ スリット
３０１ｅ 孔
３０１ｆ テーパ面
３０１ｉ ストッパ
３０１ｓ スリット
３０２ コンバージョンレンズ
３０３ 第１バリヤ部材
３０３ａ 第１駆動軸
３０３ｂ バネ
３０４ 第２バリヤ部材
３０４ａ 枢軸
３０４ｂ 第２駆動軸
３０４ｄ 衝立部
３０４ｅ バネ部材
３０４ｆ シーソー部材
３０４ｇ 一端
３０４ｈ 他端
３０５ 係止部材
３０５ａ 凸片
３０５ｂ 本体
３０５ｃ 鈎部
３０６ バネ
【図１】
2013190985.tif 000003
【図２】
2013190985.tif 000004
【図３】
2013190985.tif 000005
【図４】
2013190985.tif 000006
【図５】
2013190985.tif 000007
【図６】
2013190985.tif 000008
【図７】
2013190985.tif 000009
【図８】
2013190985.tif 000010
【図９】
2013190985.tif 000011
【図１０】
2013190985.tif 000012
【図１１】
2013190985.tif 000013
【国際調査報告】
2013190985.tif 000014
2013190985.tif 000015